(57)【要約】【目的】本発明は、火災等の非常時に、煙感知器等に連動して強制的に扉を閉鎖すると共に、その後、扉の開放は手動で行い、開放された扉は自閉する自動引き戸の非常時閉鎖装置に関するものであり、施行性、点検性、意匠性に優れた自動引き戸の非常時閉鎖装置を提供することを目的とする。【構成】引き戸の駆動源にモーターを用いて引き戸を開閉方向に移動させる自動引き戸において、非常時、引き戸の一部に係止して、引き索を巻き取って引き戸を閉鎖方向に移動させる自閉機構と、煙感知器等の信号によって作動し自閉機構を制御する制御機構からなり、制御機構は、常態時は、引き索の引き出しが可能で且つ引き出された引き索の巻き取りが不能な状態に自閉機構を制御し、非常時には引き戸を閉鎖方向に移動させる引き索の巻き取りが可能で、且つ、引き戸の開放方向への移動にともなって、引き索の引き出しを可能に自閉機構を制御するものである。  【選択図】    図８
2006089958.tif 000002
【特許請求の範囲】
【請求項１】
引き戸の駆動源にモーターを用いて引き戸を開閉方向に移動させる自動引き戸において、非常時、引き戸の一部に係止して、引き索を巻き取って引き戸を閉鎖方向に移動させる自閉機構と、煙感知器等の信号によって作動し自閉機構を制御する制御機構からなり、制御機構は、常態時は、引き索の引き出しが可能で且つ引き出された引き索の巻き取りが不能な状態に自閉機構を制御し、非常時には引き戸を閉鎖方向に移動させる引き索の巻き取りが可能で、且つ、引き戸の開放方向への移動にともなって、引き索の引き出しを可能に自閉機構を制御することを特徴とする自動引き戸の非常時閉鎖装置。
【請求項２】
自閉機構と制御機構は、一つの非常時閉鎖ユニットとして取付取外し可能に構成されていることを特徴とする請求項１に記載の自動引き戸の非常時閉鎖装置。
【請求項３】
非常時閉鎖ユニットは、出入口の上部に着脱自在に設けられた点検パネルを取外した位置に臨ませて設けられたことを特徴とする請求項２に記載の自動引き戸の非常時閉鎖装置。
【請求項４】
出入口の上部に点検パネルが設けられ、戸袋側の表面が建物の壁面と面一な化粧ボードで覆われ、引き戸の駆動源にリニアモーターを用いて引き戸を開閉方向に移動させる自動引き戸において、非常時、引き戸の一部に係止して、引き索を巻き取って引き戸を閉鎖方向に移動させる自閉機構と、煙感知器等の信号によって作動し自閉機構を制御する制御機構からなり、自閉機構と制御機構は、一つの非常時閉鎖ユニットとして取付取外し可能に構成されて点検パネルを取外した位置に臨ませて設けられ、制御機構は、常態時は、引き索の引き出しが可能で且つ引き出された引き索の巻き取りが不能な状態に自閉機構を制御し、非常時には引き戸を閉鎖方向に移動させる引き索の巻き取りが可能で、且つ、引き戸の開放方向への移動にともなって、引き索の引き出しを可能に自閉機構を制御することを特徴とする自動引き戸の非常時閉鎖装置。
【発明の詳細な説明】
【技術分野】
【０００１】
本発明は、火災等の非常時に、煙感知器等に連動して強制的に扉を閉鎖すると共に、その後、扉の開放は手動で行い、開放された扉は自閉する自動引き戸の非常時閉鎖装置に関するものである。
【背景技術】
【０００２】
従来、自動引き戸は、通常、人の出入がおわれば自動的に閉鎖するように構成されている。
しかしながら、病院あるいは老人ホーム等で使用される場合は、建物内の各部屋の様子に極力目が行き届くように、開放状態（全開、半開等を含む。）を維持しておく必要があった。
このため、自動引き戸が開放された状態で、強制的に一定時間以上（通常３秒程度以上）開放状態を維持しておくと、その後自動開閉せず（通電が切断された状態）その開放状態が維持され、そして、開放状態を解除する時は、手動で開閉方向に所定距離（通常２センチメートル程度）移動させるとその後自動開閉される（通電された状態）機能が設けられている。
【０００３】
一方、開放された状態で、火災等が発生すると、有毒ガスや煙等の浸入、あるいは延焼を防止するため開放された状態の引き戸を一斉に閉鎖する必要があった。
しかしながら、従来、自動ドアにおいては、火災発生時には、自動引き戸の駆動用電源が不測に切断されることが有り、これに備えて、自動ドアを開閉駆動する直流モーターに整流部への交流電力が停止した非常時に給電を行う自動ドアの非常時給電装置として、整流部の直流出力側に並列にキャパシタを接続して、上記交流電力の供給が停止したときにそれまでキャパシタに蓄えた電荷を上記直流モーターに供給して自動ドアを開かせ室内の人々を緊急脱出させるようにしたものが一般的であった。（例えば、特許文献１参照。）
【０００４】
すなわち、上記の場合、開放状態を維持して室内の人々を緊急脱出させるもので、有毒ガスや煙等の浸入、あるいは延焼を防止するためドアを一斉に一旦閉鎖し、室内から脱出する時は手動でドアを開放し、人の出入がおわれば自動的に閉鎖する、いわゆる非常時は半自動ドアとして機能するものではない。
したがって、一旦閉鎖するのに予備電源を使用して閉鎖状態を維持すると、室内の人が脱出するに手動で開放するのが困難であるため、開放する時にも予備電源を使用する事になり、非常時でも、備蓄電源を使用して通常の自動ドアと変わらない機能を維持するだけのものとなる。
【０００５】
又、開放時は手動で、閉鎖時は自動とした半自動ドアにおいては、上記理由により開放されている引き戸を非常時一斉に閉鎖するものとして、緊急時に、扉に係合して扉を閉鎖するスライダーと、平常時にはスライダーを係止し、緊急時にはスライダーの係止を解除するスライダーの着脱機構と、スライダーに係着した引き線を引き寄せて該スライダーを誘導し、扉の閉鎖方向に引き戻すスライダーの引き戻し機構とを備えたものが提供されている。（例えば、特許文献２参照。）
【０００６】
しかしながら、近年、特に一般的となっている、戸袋側の表面が建物の壁面と面一な化粧ボードで覆われた引き戸においては、出入口の上部にしか点検パネルを設けることが出来ないので、この点検パネルが臨む個所に非常時の機構を設け、点検できるようにする必要があるが、上記の場合、引き戻し機構とスライダーの着脱機構は、それぞれ離れた個所に取付られているので、引き戸への組み付け作業が煩雑となり、点検時等の作業も容易ではなかった。
【０００７】
【特許文献１】特開平１０−２１０６８６号公報
【特許文献２】特開２００２−４７００号公報
【発明の開示】
【発明が解決しようとする課題】
【０００８】
本発明は、非常時に一旦引き戸を閉鎖状態とし、その後半自動引き戸として機能する、施行性、点検性、意匠性に優れた自動引き戸の非常時閉鎖装置を提供することを課題とする。
【課題を解決するための手段】
【０００９】
そこで、上記課題を解決する為、本発明が第１の手段として構成したところは、引き戸の駆動源にモーターを用いて引き戸を開閉方向に移動させる自動引き戸において、非常時、引き戸の一部に係止して、引き索を巻き取って引き戸を閉鎖方向に移動させる自閉機構と、煙感知器等の信号によって作動し自閉機構を制御する制御機構からなり、制御機構は、常態時は、引き索の引き出しが可能で且つ引き出された引き索の巻き取りが不能な状態に自閉機構を制御し、非常時には引き戸を閉鎖方向に移動させる引き索の巻き取りが可能で、且つ、引き戸の開放方向への移動にともなって、引き索の引き出しを可能に自閉機構を制御するものである。
【００１０】
次に、本発明が第２の手段として構成したところは、前記第１の手段に加え、自閉機構と制御機構は、一つの非常時閉鎖ユニットとして取付取外し可能に構成されているものである。
【００１１】
次に、本発明が第３の手段として構成したところは前記第２の手段に加え、非常時閉鎖ユニットは、出入口の上部に着脱自在に設けられた点検パネルを取外した位置に臨ませて設けられたものである。
【００１２】
次に、本発明が第４の手段として構成したところは、出入口の上部に点検パネルが設けられ、戸袋側の表面が建物の壁面と面一な化粧ボードで覆われ、引き戸の駆動源にリニアモーターを用いて引き戸を開閉方向に移動させる自動引き戸において、非常時、引き戸の一部に係止して、引き索を巻き取って引き戸を閉鎖方向に移動させる自閉機構と、煙感知器等の信号によって作動し自閉機構を制御する制御機構からなり、自閉機構と制御機構は、一つの非常時閉鎖ユニットとして取付取外し可能に構成されて点検パネルを取外した位置に臨ませて設けられ、制御機構は、常態時は、引き索の引き出しが可能で且つ引き出された引き索の巻き取りが不能な状態に自閉機構を制御し、非常時には引き戸を閉鎖方向に移動させる引き索の巻き取りが可能で、且つ、引き戸の開放方向への移動にともなって、引き索の引き出しを可能に自閉機構を制御するものである。
【００１３】
請求項１に記載の発明によると、火災時煙が発生すると、煙感知器の信号によって、制御機構が作動し、自閉機構は、引き索の巻き取り引出しが可能に制御機構によって制御されるので、自閉機構が引き索を巻き取って引き戸を閉鎖させ、さらに、人の退出時は手動で引き戸を開放出来すれば、引き索も引き出され、開放後は、引き索が巻き取られ、引き戸は自動で閉鎖し、室内に対する煙等の侵入が押さえられる。
又、常態時に復帰すると、制御機構は、引き索の引き出しが可能で且つ引き出された引き索の巻き取りが不能な状態に自閉機構を制御するので、閉鎖状態の引き戸を開放すると引き索も引き出されるが、巻き取られることがなく、非常時に備えて、引き索は所定の状態に維持され、引き戸は駆動源のモーターにて、自動で開閉する。
【００１４】
請求項２に記載の発明によると、前記効果に加え、自閉機構と制御機構は一つの非常時閉鎖ユニットとして構成されているので、施行性に優れ、部材管理が容易である。
【００１５】
請求項３に記載の発明によると、請求項１、請求項２に記載の発明の効果に加え、点検パネルを取外した位置に非常時閉鎖ユニットを臨ませて設けているので、後付けで、非常時の閉鎖機能を付加することが出来るだけでなく、点検、補修、復帰作業が容易である。
【００１６】
請求項４に記載の発明によると、自閉機構と制御機構は一つの非常時閉鎖ユニットとして構成されているので、施行性に優れ、部材管理が容易であり、後付けで、非常時の閉鎖機能を付加することが出来るだけでなく、点検、補修、復帰作業が容易である。さらに、火災時煙が発生すると、煙感知器の信号によって、制御機構が作動し、自閉機構は、引き索の巻き取り引出しが可能に制御機構によって制御されるので、自閉機構が引き索を巻き取って引き戸を閉鎖させ、さらに、人の退出時は手動で引き戸を開放すれば、引き索も引き出され、開放後は、引き索が巻き取られ、引き戸は自動で閉鎖し、室内に対する煙等の侵入が押さえられる。
又、常態時に復帰すると、制御機構は、引き索の引き出しが可能で且つ引き出された引き索の巻き取りが不能な状態に自閉機構を制御するので、閉鎖状態の引き戸を開放すると引き索も引き出されるが、巻き取られることがなく、非常時に備えて、引き索は所定の状態に維持され、引き戸は駆動源のモーターにて、自動で開閉する。
【発明を実施するための最良の形態】
【００１７】
本発明は、出入口の上部に点検パネルが設けられ、戸袋側の表面が建物の壁面と面一な化粧ボードで覆われ、引き戸の駆動源にリニアモーターを用いて引き戸を開閉方向に移動させる自動引き戸において、非常時、引き戸の一部に係止して、引き索を巻き取って引き戸を閉鎖方向に移動させる自閉機構と、煙感知器等の信号によって作動し自閉機構を制御する制御機構からなり、自閉機構と制御機構は、一つの非常時閉鎖ユニットとして取付取外し可能に構成されて点検パネルを取外した位置に臨ませて設けられ、制御機構は、常態時は、引き索の引き出しが可能で且つ引き出された引き索の巻き取りが不能な状態に自閉機構を制御し、非常時には引き戸を閉鎖方向に移動させる引き索の巻き取りが可能で、且つ、引き戸の開放方向への移動にともなって、引き索の引き出しを可能に自閉機構を制御するものである。
【実施例】
【００１８】
以下実施例を図面に基づいて説明する。
図１は、本発明を具備した自動引き戸の正面概略図を示し、符号１は引き戸枠を示している。
引き戸枠１は、図４に示す如く、建物側の鉄骨１１・・・にブラケット１２・・・を介して固定された戸尻側縦枠１３および戸先側縦枠１４と、戸尻側縦枠１３と戸先側縦枠１４との上端間に配設され、図２に示す如く建物側鉄骨１１にブラケット１２を介して固定された上横枠１５より門形に形成されている。
【００１９】
符号２は、支持部材を示している。
支持部材２は、戸尻側縦枠１３の上部と戸先側縦枠１４の上部間に水平に配設され、室内側に引き戸レール５が連結され、上面に非常時閉鎖ユニット３００が取付られる。
符号６は、吊り金具７０を介して引き戸レール５に吊り下げられた引き戸を示し、符号８は、引き戸６と支持部材２間に配設されたリニアモーターを示し、符号１６、１６は、戸尻側縦枠１３と戸先側縦枠１４間で、上端が上横枠１５の室内側と廊下側の両面に固定され、下端部が床面に埋め込まれて配設された中枠を示している。
以下、戸尻側縦枠１３と中枠１６、１６間側を引き込み部側、戸先側縦枠１４と中枠１６、１６間側を出入り口側と云う。
【００２０】
そして、引き込み部側には床面全幅に渡って上向きコ字形のベース材が設けられ、ベース材の出入口側端部に近接する出入口側の床面にガイド部材１７が固定されている。
ガイド部材１７は、引き戸６の下端面に形成された案内溝６１に嵌合するガイドローラー１７１を有している。
符号１８、１８は、引き込み部側の室内側及び廊下側の両面に配設された下地パネルを示し、符号１９は、支持部材２の廊下側の表面に取り付けられるランマ下地パネルを示し、符号９６０は支持部材２の室内側の出入り口側に着脱自在に取り付けられた点検パネルを示している。
【００２１】
そして、上記引き戸枠１、引き戸レール５を取付けた支持部材２、リニアモーター８の一部、中枠１６、１６、ベース材、ガイド部材１７、下地パネル１８、ランマ下地パネル１９が内装仕上げが行われるまで（化粧ボード１００・・が貼り付けられるまで）に施工される。
そして、内装仕上げが終了した後、引き戸６が出入り口側から支持部材２に取り付けられた引き戸レール５に吊り込まれ、リニアモーター８が配設され、非常用自閉ユニット３００が支持部材２に取り付けられ、所定の電気的接続を済ませ、最後に点検パネル９６０が取り付けられる。
【００２２】
以下、各部材について詳述する。
引き戸枠１の戸尻側縦枠１３は、図４に示す如く、固定用部材１３１・・・が上下方向に所定間隔を有して建物側鉄骨１１側に設けられた横断面略コ字形に形成され、建物用鉄骨１１の引き込み部側面に突出して固着されたブラッケット１２・・・と固定用部材１３１・・・が溶接され、床面仕上げ時に下端部が床面に埋め込まれて立設されている。
符号１３３は、全開された吊り戸６の戸尻側端面が当接する緩衝部材を示し、戸尻側縦枠１３の引き込み部側面の上下部に取り付けられている。
【００２３】
引き戸枠１の戸先側縦枠１４は、図４に示す如く、固定用部材１４１・・・が上下方向に所定間隔を有して建物側鉄骨１１側に設けられた横断面扁平略コ字形に形成され、出入り口側の前後方向中央部に鉄骨１１側に窪む戸当り受け溝１４２を有し、建物用鉄骨１１の出入り口側面に突出して固着されたブラッケット１２・・・と固定用部材１４１・・・が溶接され、床面仕上げ時に下端部が床面に埋め込まれて立設されている。
そして、符号１００・・・は化粧ボードを示している。
【００２４】
上横枠１５は、図２、図３に示す如く、固定部材１５１・・・が吊り戸６の開閉方向に所定間隔を有して建物用鉄骨１１側に設けられた断面上向き略コ字形に形成され、開閉方向両端部に取り付けられた逆Ｌ字形の連結金具と戸尻側縦枠１３、戸先側縦枠１４の上端部がネジ止めされ、建物用鉄骨１１の下面の下方に突出して固着されたブラッケト１２・・・と固定部材１５１・・・が溶接されて、戸尻側縦枠１３と戸先側縦枠１４の上端間に配設されている。
そして、上記戸尻側縦枠１３、戸先側縦枠１４、上横枠１５によって引き戸枠１が構成される。
【００２５】
ベース材（図示せず。）は、廊下側端部および室内側端部が上方に突出して、下地パネル１８、１８の下端部内面を係止する係止突片とした上向き略コ字形に形成され、引き込み部側の床面全幅に渡って固定されている。
【００２６】
中枠１６、１６は、図４に示す如く、対向した略同形に形成されているので便宜上室内側についてのみ説明する。
中枠１６は、内面側に位置する補強枠１６１と、補強枠１６１の出入り口側の端部に形成されて室内側に突出し、引き込み部側の化粧パネル１００の出入り口側端部を隠蔽する中枠突部１６２と、補強枠１６１の室内側の表面に設けられ、戸尻側縦枠１３側の端部に下地パネル１８の出入口側の端部に形成されたパネル係止突片が連結される連結部１６３を有する表面板１６４より形成され、上端部が上横枠１５の室内側面部に連結され、下部がベース材（図示せず）の室内側と連結され、下端部が床面仕上げ時に床面に埋め込まれて立設される。符号１００・・・は化粧ボードを示している。
【００２７】
支持部材２は、図２、図３、図５に示す如く、固定部材２１と、固定部材２１の室内側に一体に形成されたレール取付部２２よりなり、戸尻側縦枠１３、戸先側縦枠１４の上端部内面に設けられた支持部材固定座（図示せず。）に、戸尻側縦枠１３側の端部と戸先側縦枠１４側の端部が固定用ボルト（図示せず）で水平状態に連結され、レール取付部２２の室内側に引き戸レール５が取り付けられている。
【００２８】
引き戸レール５は、図５に示す如く、スライド装置５１と、アルミ材からなる押出補強材５０と、補強材５２が連結して構成され、その開閉方向の長さは、引き戸６の移動距離よりやや長めに形成され、支持部材２の室内側に、ネジ止め等にて取り付けられる。
スライド装置５１は、図５に示す如く、アルミの押出補強材５０の室内側に保持される断面略Ｃ字形のアウターメンバー５５と、アウターメンバー５５にボールリテーナー５７に保持された複数個のボールを介してスライド自在に保持される断面略Ｃ字形のインナー
メンバー５６より構成されており、アルミの押出補強材５０と補強材５２とアウターメンバー５５は開閉方向の略全幅に渡って配設され、インナーメンバー５６は引き戸６の開閉方向の幅よりやや小さ目に形成され、ボールリテーナー５７はインナーメンバー５６の２倍強の幅に形成されている。
【００２９】
符号７０はインナーメンバー５６の室内側に固着された吊り金具を示している。
吊り金具７０は、図１、図２に示すように、インナーメンバー５６と開閉方向にほぼ同幅で、インナーメンバー５６の室内側に固着される取付壁７０１と、取付壁７０１の下端部をスライド装置５１の下方でランマ下地パネル１９方向にＵ字形に形成した吊り下げ部７０３より構成されている。
符号７００は、吊り金具７０の戸先側端部に取付けられ、上方に突出し、非常用自閉ユニット３００と連係する係合部材を示している。
【００３０】
引き戸６は、図１〜図４に示す如くパネル形状をなし、略下向きコ字形の隙間調節部材６０１を介して吊り下げ部７０３に連結ピンにて吊り下げられており、下端部には開閉時にガイド部材１７２のガイドローラー１７１に案内される下面が開口する案内溝６１が形成されている。
隙間調節部材６０１は引き戸６の上端面内面に開閉方向に所定間隔を有して複数個固着されたナット部６１・・・に螺合する連結ボルト６１０・・・にて引き戸６に連結され、隙間調節部材６０１の上面にはリニアモーター取付座６０２・・・と吊り下げ部７０３に連結ピンにて連結される下向きＵ字形の吊座６０３・・・が開閉方向に所定間隔を有して形成されている。
【００３１】
ガイド部材１７は、アンカーボルトにて、中枠１６、１６間の出入口側の床面に固定される基板１７３と、基板１７３に一体に立設されたローラー取付板１７４と、ローラー取付板１７４に回転自在に取付けられるガイドローラー１７１より構成されている。
そして、引き戸６の吊り下げ時、案内溝６１内にガイドローラー１７１を嵌合した状態で、引き戸６が隙間調節部材６０１を介して吊り下げ部７０３に連結ピンにて吊り下げられる。
【００３２】
下地パネル１８は、図４に示す如く、室内側及び廊下側でそれぞれの引き込み部側に取り付けられている。すなわち、下地パネル１８は、下端部の開閉方向と中枠１６、１６側の端部の上下方向に形成された係止溝が前記ベース材の係止突片および中枠１６のパネル係止突片１６３に係止し、上端部が上横枠１５と、戸尻側縦枠側端部が戸尻側縦枠１３とそれぞれネジ止めされている。
【００３３】
ランマ下地パネル１９は、図２、図３に示す如く、上端が上横枠１５の廊下側面部にネジ止めされ、開閉方向の両端部が、廊下側の中枠１６の内面上部と、戸先側縦枠１４の廊下側の内面上部にネジ止めされており、下端部に廊下側に突出して化粧ボード１００の下端部端面を隠蔽するランマ下地突部１９０が形成されている。
【００３４】
点検パネル９６０は、図２、図３に示す如く、室内側に突出して化粧ボード１００の下端部端面を隠蔽する下地突部９８０を下端に有する、上横枠１５の室内側にとりつけられた点検パネル支持片９９０と、中枠１６と戸先側縦枠１４の出入口側の上部内面に取付けられた点検パネル係止座９７０間に上端が係止し、点検パネル係止座９７０下端部に設けられた点検パネル取付座９４０に下方よりネジ止めされ、着脱自在に取り付けられている。
【００３５】
リニアモーター８は、コイル可動形のリニアモーターであって、その固定子８１は、コイルユニットとセンサーユニットから構成され、引き戸レール５の上方に位置して、固定子取付金具８０を介して、レール取付部２２の点検パネル９６０側に取り付けられている。
固定子取付金具８０は固定子取付部８０１と、連結部８０２より逆Ｌ字形に形成され、レール取付部２２に形成された連結螺孔（図示せず。）に対応して、連結部８０２に上下方向の長孔（図示せず。）が形成され、固定子８１の取り付け高さを調節可能としている。
【００３６】
コイルユニット（図示せず。）は同一形状の３個の扁平コイルを並べて、インサートモード樹脂加工により一体成形したもので、その樹脂外郭の開閉方向の両端にそれぞれ連結突部と、前記連結突部と雌雄となる連結凹部が形成されている。
センサーユニットは、ホール素子等を用いた３個の磁気検出センサーとそれらの磁気検出信号を送信する信号線回路および３個の扁平コイルに給電する給電回路と、それらの各回路と電気的接続を確保するためのソケットをインサートモード樹脂加工により一体成形したもので、その樹脂外郭の開閉方向の一端に前記コイルユニットに嵌める連結突部が形成されている。
【００３７】
固定子８１に対応する可動子８２は、リニアモーター取付座６０２・・・に連結された可動子取付金具８０３を介して、引き戸レール５の上方で、固定子８１の下方に所定間隔を有して取付けられている。
可動子取付金具８０３は、リニアモーター取付座６０２に連結される連結基部８０４と、可動子８２が取付けられる可動子取付部８０５より逆Ｌ字形に形成されている。
そして、連結基部８０４に形成された長孔とリニアモーター取付座６０２の螺孔が連係して、可動子８２の取付位置を高さ調節自在とし、可動子８１と固定子８２間に所定の間隙を形成できる構成としている。
可動子８２は、永久磁石８２１と、下面に連結基部８０４と連結する連結ボルトのボルト貫挿溝を有するホルダー８２２より構成され、引き戸６の開閉方向のほぼ全幅にわたって設けられている。
【００３８】
符号９０は、リニアモーターのコントローラーを示し、コントローラー９０は、固定子８１の各磁気検出センサーが検出する磁気検出信号を入力し、この検出信号に基づいてコイルユニットと可動子との相対位置を検出し、各扁平コイルへ給電すると共に、給電する電流方向を前記各磁気検出が検出する可動子の磁性に応じて切替えて、可動子８２の走行方向を切替えて引き戸６を開閉する。
すなわち、コントローラー９０に内蔵した各種のＩＣ基板とセンサーユニットによって、引き戸６は各種機能を有する事となる。
【００３９】
前記各種機能として、例えば、ドア６の閉鎖途中で障害物に当たったとき、直ちに反転して、全開位置まで移動し、所定の時間が経過すると閉鎖運動を始め、反転した位置で一旦停止し、障害物が無いことを確認してから全閉する機能、あるいは、全閉位置から手動で所定寸法まで開くと、あとは、自動で全開位置まで開く機能、又、通過するものの大きさにあわせて、開放巾を選択する機能、さらに、本発明のように、引き戸が開放された状態で、強制的に一定時間以上（通常３秒程度以上）開放状態を維持しておくと自動開閉せず（通電が切断された状態）開放状態が維持され、そして、開放状態を解除する時は、手動で開閉方向に所定距離（通常２センチメートル程度）移動させると自動開閉される（通電された状態）機能、等がある。
【００４０】
非常用自閉ユニット３００は、支持部材２の戸先側縦枠１３寄りの上面のユニット取付基板に着脱自在に取付られており、ユニット基板３１に取付けられた自閉機構３と自閉機構を制御する制御機構９より構成されている。
自閉機構３は、引き索３０を常に巻き取るよう付勢するゼンマイバネ（図示せず。）と、引き索３０の巻き取り、引出しと共に回転し、一部が外方に露出する自閉用歯車３２等を内蔵した巻き取り部材３３と、引き索３０の端部に連結され、裏面に永久磁石を埋め込んだ合成樹脂製のスライダー３４と、スライダー３４の移動方向と同じ方向に引き索３０を導く上下滑車３５、３６より構成されされている。
符号３７は、支持枠２のレール取付部２２の上端内面隅部に引き戸６の開閉方向に渡って取付けられ、スライダー３４を案内する案内枠を示している。
すなわちスライダー３４は永久磁石によって案内枠３７内で吸着しているので、巻き取り部材３３の引き索３０の巻き取り等によって案内枠３７内を移動するが、不測に案内枠３７内から脱落することはない。
【００４１】
そして、ユニット基板３１は、水平基板３１１と垂直基板３１２より断面Ｌ字形に形成され、自閉機構３、制御機構９等が取付けられた状態で、支持部材２の上面に取付けられたユニット取付基板３１３に、ネジ止め等にて着脱自在に取付けられる。
巻き取り部材３３は、垂直基板３１２と所定の間隔を有して水平基板３１１の所定位置にネジ止めされ、上下滑車３５、３６は、垂直基板３１２の戸先側端部に取付られる滑車取付座３５０の戸先側端部の上下端部に回転自在に設けられており、上滑車３５は巻き取り部材３３の引き索３０の取り出し口（図示せず。）と前後方向でほぼ同位置に設けられ、下滑車３６は、上滑車３５より垂直基板３１２側よりで案内枠３３の延長上に位置して取付けられている。
符号３５１、３６１は、上下滑車３５、３６に掛け渡された引き索３０が貫挿することにより、上下滑車３５、３６から引き索３０が脱落を防止する脱落防止部材を示している。
【００４２】
制御機構９は、ユニット基板３１の水平基板３１１に下面がネジ止めされるＬ字形の回転規制歯車取付座９１１に一方向にのみ回転可能（図６では、反時計回りの方向にのみ回転可能）に取付られる回転規制歯車９１と、自閉用歯車３２と噛合いながら回転規制歯車９１と、噛合いあるいは離脱可能な自閉制御歯車９２と、自閉制御歯車９２と回転規制歯車９１の噛合い、あるいは離脱を促す作動板９３と、作動板９３の自閉制御歯車９２の反対側の端部に位置し、作動板９３の動きを制御する制御部材９４と、煙感知器の信号によって、自閉制御歯車９２を回転規制歯車９１から離脱させる方向に、制御部材９４、作動坂９３を介して作動させるソレノイド９５と、自閉制御歯車９２が回転規制歯車９１に噛合うよう作動板９３を初期状態に復帰させるリセット部材９６より構成されている。
符号９７は煙感知器の信号によって巻き取り部材が作動し、引き戸６が閉鎖されたことを監視センター等に知らせる為のマイクロスィッチを示し、符号９８は煙感知器等のケーブルが接続される端子台を示し、符号９９は端子台とソレノイド９５、マイクロスィッチ９７間に配線されたケーブルを示している。
そして、ソレノイド９５、マイクロスィッチ９７は、ユニット基板３１に取付けられた合成樹脂材からなる絶縁用基板９００に取付られている。
【００４３】
作動板９３は、巻き取り部材３３と垂直基板３１２間に位置し、回動可能に垂直基板３１２に連結される連結部９３１と、連結部９３１の戸先側端部が巻き取り部材３３と所定間隔を有する位置で、水平基板３１１の突出方向に突出する戸先側作動部９３２と、戸先側作動部９３２の端部で開放方向に突出し、回転規制歯車９１に噛合う自閉制御歯車９２が回転自在に内側に突出した状態に保持された制御歯車取付座９２１がネジ止めされる歯車取付部９３３と、連結部９３１の戸尻側端部が巻き取り部材３３の戸尻側で、水平基板３１１の突出方向に突出する戸尻側作動部９３４と、戸尻側作動部９３４の端部で開放方向に突出する連設部９３５と、連設部９３５の戸尻側端部で垂直基板３１２方向に突出するストッパー部９３６と、連設部９３５の開閉方向に略中央部下面に垂直基板３１２方向に突出して連設されたマイクロスイッチ作動部９３７より形成されている。
【００４４】
制御部材９４は、下端部が絶縁用基板９００を貫通する枢軸によって、垂直基板３１２に回動自在に連結される回動連結部９４１と回動連結部の上端で閉鎖方向に突出し、閉鎖側端部が二股状となしたソレノイド連結部９４２より、略逆Ｌ字形に合成樹脂材より一体に形成され、回動連結部９４１の表面側に前記作動板９３のストッパー部９３６に対応して、水平基板３１１の突出方向に突出するストッパー受け部９４３が形成され、ソレノイド連結部９４２の二股状となした個所に、ソレノイド９５のプランジャ９５１の先端に取り付けられたプランジャピン９５２を受けるプランジャ受け用凹部９４５が形成され、回動中心部に巻きバネ９４６が配設され、制御部材９４が図６で常に時計周りの方向に回動するよう付勢されている。
【００４５】
リセット部材９６は、巻き取り部材３３の戸先側と作動板９３の戸先側作動部９３２間に位置し、下端部が垂直基板３１２に回動自在に連結され、上端部にローラー９６１が戸先側作動部９３２の巻き取り部材３３側に位置して回転自在に設けられ、戸先側作動部９３２の逃し用切欠き９６２の戸先側端部に、戸先側作動部９３２の戸先側に位置して上方に突出するストッパー突起９６３が形成されている。
符号９６４は一端がリセット部材９６に連結され、他端が引き戸６の移動等の邪魔あるいは出入口に垂れ下がらないよう所定位置に固定されたリセット用ワイヤーを示している。
【００４６】
非常用自閉ユニット３００は上記の如く構成され、通常使用状態（図６に示す状態）、すなわち、引き戸６の開放姿勢が維持された状態（この時、引き索３０が巻き取り部材３３から引き出されて、スライダー３４は案内枠３７の引き込み部側端部に位置している。）で、制御部材９４は、巻きバネ９４６の付勢力による時計廻りの方向の回動力でソレノイド９５のプランジャ９５１を、プランジャ受け用凹部９４５および９５２を介して、引き上げた状態に維持している。一方、回転規制歯車９１と自閉用歯車３２に噛合った自閉制御歯車９２を保持する作動板９３の戸尻側端部のストッパー部９３６の下端面が、前記制御部材９４のストッパー受け部９４３に当接しているので、作動板９３は回動せず、自閉制御歯車９２を所定の位置に保持する。
【００４７】
この時、巻き取り部材３３の自閉用歯車３２は、常に引き索３０を巻き取る方向に付勢するゼンマイバネ（図示せず。）によって、常に時計廻りの方向に回転するよう付勢されているので、自閉用歯車３２と噛合った自閉制御歯車９２は反時計廻りの方向に回転力が付与されているが、自閉用制御歯車９２２と噛合った回転規制歯車９１は、時計廻りの方向には回転しない（反時計廻りの方向にのみ回転可能）から、自閉制御歯車９２も自閉用歯車３２も回転せず、引き索を巻き込むことは出来ない。
しかしながら、回転規制歯車９１は、反時計廻りの方向には回転可能であるから、自閉用制御歯車９２２を介して、自閉用歯車３２を反時計廻りの方向に回転させる事は可能となっている。すなわち、引き索３０はスライダー３４と共に巻き取り部材３３から常に引き出し可能な状態となっており、スライダー３４は案内枠３７の戸尻側端部に保持させておくことが出来る。
【００４８】
そして、引き戸が開放状態で、煙感知器能が作動すると、その信号がソレノイド９５につたえられ、プランジャ９５１が電磁石の作用により引き込まれると、プランジャピン９５２によって、制御部材９４は巻きバネ９４６の付勢に抗して、図６で反時計回りの方向に回動し、作動板９３のストッパー部９３６の下端面を支持していたストッパー受け部９４３が回動しながら前方に移動する。
すると、巻き取り部材３３の自閉用歯車３２は、常に引き索３０を巻き取る方向に付勢するゼンマイバネ（図示せず。）によって、常に時計廻りの方向に回転するよう付勢されているので、自閉用歯車３２と噛合った自閉制御歯車９２は自閉用歯車３２の回転力によって上方に押しやられ回転規制歯車９１との噛合いが外れ、自閉制御歯車９２は回転自在となるので、巻き取り部材３３のゼンマイバネによって、引き索３０は巻き取り部材３３に巻きとられ、スライダー３４は案内枠３７内を戸先側に移動し、やがて、吊り金具７０の戸先側端部に取付けられ、上方に突出する係合部材７００の戸尻側端面に当接し、引き戸６を閉鎖方向に移動させながら戸先側に移動し、引き戸６の戸先側端面が戸先側縦枠１４の出入口側面に当接し、引き戸は閉鎖状態となる。（図８に示す状態。）
【００４９】
この時、作動板９３のマイクロスイッチ作動部９３７の下面は、マイクロスイッチ９７のスイッチを作動させ、引き戸６が閉鎖されたことを監視センター等に知らせる。
一方、リセット部材９６は、ストッパー突起９３３が、作動板９３の戸先側作動部９３２の戸先側面に接触し、所定の状態を維持している。（図９に示す状態。）
この状態で、室内から人が脱出する時は手動で引き戸６を開放すると、係合部材７００によってスライダー３４は引き索３０を巻き取り部材３３から引出しながら戸尻側に移動し、開放動作が終了すると、自閉制御歯車９２は回転規制歯車９１と噛合っていないから、巻き取り部材３３によって、引き索３０は巻き取られ、スライダー３４と係合部材７００によって引き戸は閉鎖する。すなわち、引き戸は６は開放のみ手動で、閉鎖は自動の半自動引き戸として機能する。
【００５０】
次に、通常状態に復帰させる場合は、リセット用ワイヤー９６４を戸先側に引っ張ると、
ローラー９６１が作動板９３の戸先側作動部９３２の巻き取り部材３３側の面に接触し、さらに引き続けるとローラー９６１によって、戸先側作動部９３２が下方に下がり、作動板９３は戸尻側端部が上方に移動するよう回動し、ストッパー部９３６は上方に移動する。
すると、ストッパー部９３６の戸先側面にストッパー受け部９４３が当接することで、時計廻りへの回動が阻止されていた制御部材９４がプランジャ９５１を引き上げながら回動し、ストッパー受け部９４３がストッパー部９３６の下面に位置し、作動板９３が時計廻りに回動するのを阻止すると共に、作動板９３に取り付けた自閉制御歯車９２が、自閉用歯車３２および回転規制歯車９１と噛合った状態を維持する。
そして、リセット用ワイヤー９６４を離すとリセット部材９６は自重によって時計回りにやや回動し初期状態に戻る。（図１０の２点鎖線に示す状態。）
次に、閉鎖された引き戸６を開放させると、自閉制御歯車９２は回転規制歯車９１と噛合っているが、回転規制歯車９１は反時計廻りには回転可能であるから、係合部材７００によってスライダー３４は引き索３０を巻き取り部材３３から引出しながら戸尻側に移動し、開放動作が終了すると、回転規制歯車９１は時計廻りには回転しないので、自閉制御歯車９２、自閉用歯車３２は引き索３０の巻き取り方向には回転せず、スライダー３４は所定の位置に保持される。（図６に示す状態）
【図面の簡単な説明】
【００５１】
【図１】本発明を具備した自動引き戸の点検パネルを外した状態の概略正面図
【図２】図１のＡ−Ａ線要部拡大断面図
【図３】図１のＢ−Ｂ線要部拡大断面図
【図４】図１のＣ−Ｃ線要部拡大断面図
【図５】図３のＤ部拡大図
【図６】非常用自閉ユニットの正面図
【図７】非常用自閉ユニットの平面図
【図８】非常時の非常用自閉ユニットの作動状態を示す正面図
【図９】非常時の非常用自閉ユニットのリセット部材を示す略正面図
【図１０】リッセト時の非常用自閉ユニットのリセット部材を示す略正面図
【符号の説明】
【００５２】
１        吊り戸枠
１３      戸尻側縦枠
１４      戸先側縦枠
１５      上横枠
１００    化粧ボード
２        支持部材
３        自閉機構
３０      引き索
３００    非常時自閉ユニット
９        制御機構
９６０    点検パネル
【図１】
2006089958.tif 000003
【図２】
2006089958.tif 000004
【図３】
2006089958.tif 000005
【図４】
2006089958.tif 000006
【図５】
2006089958.tif 000007
【図６】
2006089958.tif 000008
【図７】
2006089958.tif 000009
【図８】
2006089958.tif 000010
【図９】
2006089958.tif 000011
【図１０】
2006089958.tif 000012